(57)【要約】【課題】商品保管室を偏りなく均一に冷却することのできるウォークインオープンショーケースを提供する。【解決手段】ショーケース１０の前面開口部の下端側に位置する第2の空気吸入口１６ａを介して商品収納部１４と商品保管室２０の下部を連通する第2の通風路１６に、商品保管室２０を冷却するための第2の冷却器１６ｄを設けたので、第2の冷却器１６ｄによって冷却された空気を商品保管室２０の下部側に吐出することができ、従来商品保管室２０の上部と比較して温度が高い商品保管室２０の下部を積極的に冷却することにより、商品保管室２０を偏りなく均一に冷却することが可能となる。【選択図】図１
2008022993.tif 000002
【特許請求の範囲】
【請求項１】
前面に開口部を有し、販売する商品を陳列するショーケースと、ショーケースの背面側に設けられ、ショーケースに補充する商品を保管する商品保管室と、商品保管室の上部とショーケースの開口部の上端側を連通する第1の通風路と、ショーケースの開口部の下端側と商品保管室の下部を連通する第2の通風路と、第１の通風路に設けられ、商品保管室の上部の空気をショーケースの開口部の上端側から下方に向かって吐出させる第１の送風機と、第２の通風路に設けられ、ショーケースの開口部の下端側から空気を商品保管室の下部に流入させる第２の送風機と、第1の通風路を流通する空気を冷却する第１の冷却器と、商品保管室内を冷却する第２の冷却器とを備えたウォークインオープンショーケースにおいて、
前記第２の冷却器を、第2の通風路に設けた
ことを特徴とするウォークインオープンショーケース。
【請求項２】
第1の通風路、第2の通風路、第1の送風機、第2の送風機、第1の冷却器及び第2の冷却器をショーケースと一体に設けた
ことを特徴とする請求項１記載のウォークインオープンショーケース。
【請求項３】
前記商品保管室の上部を冷却する冷却器を備えた
ことを特徴とする請求項1または２記載のウォークインオープンショーケース。
【発明の詳細な説明】
【技術分野】
【０００１】
本発明は、前面に開口部を有するショーケースの背面側に商品を保管する商品保管室を備えたウォークインオープンショーケースに関するものである。
【背景技術】
【０００２】
従来、この種のオープンショーケースとしては、前面に開口部を有し、販売する商品を陳列するショーケースと、ショーケースの背面側に設けられ、ショーケースに補充する商品を保管する商品保管室と、商品保管室の上部とショーケースの開口部の上端側を連通する第1の通風路と、ショーケースの開口部の下端側と商品保管室の下部を連通する第2の通風路と、第１の通風路に設けられ、商品保管室の上部の空気をショーケースの開口部の上端側から下方に向かって吐出させる第１の送風機と、第２の通風路に設けられ、ショーケースの開口部の下端側から空気を商品保管室の下部に流入させる第２の送風機と、第1の通風路を流通する空気を冷却する第１の冷却器と、商品保管室内を冷却する第２の冷却器とを備えたものが知られている（例えば、特許文献１参照）。
【特許文献１】特開平１０−２７４４６５号公報
【発明の開示】
【発明が解決しようとする課題】
【０００３】
従来のウォークインオープンショーケースでは、商品保管室が商品保管室の天井面に設けられた第２の冷却器によって冷却されるようになっている。また、商品保管室の下部には、ショーケースの開口部の下端側から第２の通風路に流入する空気が吐出されるようになっている。ショーケースの開口部の下端側から第２の通風路に流入する空気は、ショーケースに陳列された商品を冷却した後の空気や店舗内の空気など、商品保管室の上部の空気の温度と比較して温度が高いため、商品保管室の下部の温度が上部の温度と比較して高温となり、商品保管室の下部側に食品や乳製品等の商品を保管する場合には、商品の品質を保持できなくなるおそれがある。
【０００４】
本発明の目的とするところは、商品保管室を偏りなく均一に冷却することのできるウォークインオープンショーケースを提供することにある。
【課題を解決するための手段】
【０００５】
本発明は前記目的を達成するために、前面に開口部を有し、販売する商品を陳列するショーケースと、ショーケースの背面側に設けられ、ショーケースに補充する商品を保管する商品保管室と、商品保管室の上部とショーケースの開口部の上端側を連通する第1の通風路と、ショーケースの開口部の下端側と商品保管室の下部を連通する第2の通風路と、第１の通風路に設けられ、商品保管室の上部の空気をショーケースの開口部の上端側から下方に向かって吐出させる第１の送風機と、第２の通風路に設けられ、ショーケースの開口部の下端側から空気を商品保管室の下部に流入させる第２の送風機と、第1の通風路を流通する空気を冷却する第１の冷却器と、商品保管室内を冷却する第２の冷却器とを備えたウォークインオープンショーケースにおいて、前記第２の冷却器を、第2の通風路に設けている。
【０００６】
これにより、第２の通風路を流通する空気が第２の冷却器によって冷却されることから、冷却された空気が商品保管室の下部に吐出される。
【発明の効果】
【０００７】
本発明によれば、第2の冷却器によって冷却された空気を商品保管室の下部に吐出することができるので、従来商品保管室の上部と比較して温度が高い商品保管室の下部を積極的に冷却することにより、商品保管室を偏りなく均一に冷却することが可能となる。
【発明を実施するための最良の形態】
【０００８】
図１は本発明の一実施形態を示すもので、ウォークインオープンショーケースの側面断面図である。
【０００９】
このウォークインオープンショーケースは、販売する商品を陳列するためのショーケース１０と、ショーケース１０に補充する商品を保管するための商品保管室２０とを備え、ショーケース１０及び商品保管室２０が一体に形成されたものである。
【００１０】
ショーケース１０は、上面側、底面側及び左右両側面側がそれぞれ断熱壁１１によって覆われており、前面側には店舗内と連通する前面開口部が設けられ、背面側には商品保管室２０と連通する背面開口部が設けられている。断熱壁１１の内側には、上面側の断熱壁１１の内面と間隔をおいて上面板１２が設けられるとともに、底面側の断熱壁１１の内面と間隔をおいて底面板１３が設けられている。断熱壁１１の内側には、上面板１２と底面板１３との間に商品収納部１４が形成され、上面側の断熱壁１１と上面板１２との間に第1の通風路１５が形成され、底面側の断熱壁１１と底面板１３との間に第2の通風路１６が形成されている。
【００１１】
商品収納部１４は、複数の商品棚１４ａが上下に並べて配置され、底面板１３及び各商品棚１４ａの上面に商品が陳列されるようになっている。また、商品収納部１４の背面側には背面扉１４ｂが設けられており、背面扉１４ｂを開放することにより、商品保管室２０側から商品収納部１４に商品を補充することができるようになっている。
【００１２】
第1の通風路１５は、前端側がショーケース１０の前面開口部の上端の左右方向に亘って設けられた第1の空気吐出口１５ａを介して商品収納部１４と連通するとともに、後端側が第1の空気吸入口１５ｂを介して商品保管室２０の上部と連通している。第1の通風路１５には、商品保管室２０の空気を商品収納部１４に流入させるための第1の送風機１５ｃと、第1の通風路１５を流通する空気を冷却するための第1の冷却器１５ｄとが設けられている。
【００１３】
第2の通風路１６は、前端側がショーケース１０の前面開口部の下端の左右方向に亘って設けられた第2の空気吸入口１６ａを介して商品収納部１４と連通するとともに、後端側が第2の空気吐出口１６ｂを介して商品保管室２０の下部と連通している。第2の通風路１６には、商品収納部１４の空気を商品保管室２０に流入させるための第2の送風機１６ｃと、第2の通風路１６を流通する空気を冷却するための第2の冷却器１６ｄとが設けられている。
【００１４】
ここで、第１の冷却器１５ｄ及び第２の冷却器１６ｄは、フィン及びチューブからなる熱交換器であり、図示しない圧縮機、放熱器及び膨張弁等を有する冷媒回路に接続されている。
【００１５】
商品保管室２０は、断熱壁２１によって囲まれた空間からなり、ショーケース１０の背面開口部と連通するように設けられている。また、商品保管室２０の内部には、商品保管用の棚２２が設けられている。
【００１６】
以上のように構成されたウォークインオープンショーケースにおいて、商品保管室２０の上部の空気は、第1の送風機１５ｃによって第1の空気吸入口１５ｂから第1の通風路１５に流入し、第1の冷却器１５ｄによって冷却される。第1の冷却器１５ｄによって冷却された第1の通風路１５を流通する空気は、第1の空気吐出口１５ａから吐出されてショーケース１０の前面開口部を上方から下方に向かって流通し、ショーケース１０の前面開口部にエアカーテンを形成する。ショーケース１０の前面開口部を流通した空気は、第2の送風機１６ｃによって第2の空気吸入口１６ａから第2の通風路１６に流入し、第2の冷却器１６ｄによって冷却される。第2の冷却器１６ｄによって冷却された第2の通風路１６を流通する空気は、第2の空気吐出口１６ｂから商品保管室２０の下部に吐出される。商品保管室２０の下部に吐出された空気は、再び第１の送風機によって第１の空気吸入口１５ｂから第１の通風路１５に流入する。これにより、ショーケースに陳列された商品は第１の冷却器１５ｄによって冷却された空気によって冷却され、商品保管室２０内に保管された商品は第２の冷却器１６ｄによって冷却された空気によって冷却される。第２の冷却器１６ｄによって冷却された空気は、商品収納室２０の下部から上部に向かって商品収納室２０内全体を流通することから、商品収納室２０内が均一に冷却される。
【００１７】
このように、本実施形態のウォークインオープンショーケースによれば、ショーケース１０の前面開口部の下端側に位置する第2の空気吸入口１６ａを介して商品収納部１４と商品保管室２０の下部を連通する第2の通風路１６に、商品保管室２０を冷却するための第2の冷却器１６ｄを設けたので、第2の冷却器１６ｄによって冷却された空気を商品保管室２０の下部側に吐出することができ、従来商品保管室２０の上部と比較して温度が高い商品保管室２０の下部を積極的に冷却することにより、商品保管室２０を偏りなく均一に冷却することが可能となる。また、第2の冷却器１６ｄをショーケース１０の第2の通風路１６に設けたので、ウォークインオープンショーケースの設置工事の際に商品保管室２０の天井部に第２の送風機１６ｃ及び第2の冷却器１６ｄを設置する作業を必要とすることなく、設置場所での作業工数を低減することが可能となる。
【００１８】
また、第1の通風路１５、第2の通風路１６、第1の送風機１５ｃ、第2の送風機１６ｃ、第1の冷却器１５ｄ及び第2の冷却器１６ｄをショーケース１０と一体に設けたので、ユニット化されたショーケース１０を設置場所に設置することにより、第1の通風路１５、第2の通風路１６、第1の送風機１５ｃ、第2の送風機１６ｃ、第1の冷却器１５ｄ及び第2の冷却器１６ｄを設置することができ、ウォークインオープンショーケースの設置工事の際に第1の通風路１５、第2の通風路１６、第1の送風機１５ｃ、第2の送風機１６ｃ、第1の冷却器１５ｄ及び第2の冷却器１６ｄをそれぞれ設置する作業を必要とすることなく、設置場所での作業工数を低減することが可能となる。
【００１９】
尚、前期実施形態では、第２の通風路１６に設けられた第２の冷却器１６ｄのみを用いて商品保管室２０を冷却するようにしたものを示したが、例えば商品保管室２０の天井高が高い場合など、商品保管室２０の空間が広い場合においても、図２に示すように、商品保管室２０の天井部や温度が高くなる場所に送風機１６ｅ及び冷却器１６ｆを設けることにより、商品保管室２０内を偏りなく均一の温度に冷却することが可能となる。
【図面の簡単な説明】
【００２０】
【図１】本発明の一実施形態を示すウォークインオープンショーケースの側面断面図
【図２】その他の例を示すウォークインオープンショーケースの側面断面図
【符号の説明】
【００２１】
１０…ショーケース、１４…商品収納部、１５…第１の通風路、１５ａ…第１の空気吐出口、１５ｂ…第１の空気吸入口、１５ｃ…第１の送風機、１５ｄ…第１の冷却器、１６…第２の通風路、１６ａ…第２の空気吸入口、１６ｂ…第２の空気吐出口、１６ｃ…第２の送風機、１６ｄ…第２の冷却器、２０…商品保管室。
【図１】
2008022993.tif 000003
【図２】
2008022993.tif 000004